(57)【特許請求の範囲】
【請求項１】
透液性表面シートと、不透液性裏面シートと、それらシートの間に介在する吸液性コアとから構成され、縦方向に第１および第２胴周り域と、それら胴周り域の間に位置する股下域とを備え、前記第１および第２胴周り域を横方向へ延びる両端縁と、前記縦方向へ延びる両側縁とを有し、前記第１胴周り域の端縁の側に偏在して該第１胴周り域の両側縁から横方向外方へ延びる第１および第２着用ベルトを有する開放型の使い捨ておむつにおいて、
前記第１および第２着用ベルトの肌非当接面に、横方向へ延びる第１受止部材が取り付けられ、前記第２着用ベルトの第１受止部材に着脱可能な第１止着部材が、前記第１着用ベルトの横方向外端部における肌当接面に取り付けられ、前記第１および第２着用ベルトの第１受止部材に着脱可能な第２止着部材が、前記第２胴周り域の端縁近傍における前記肌当接面に取り付けられており、
前記股下域の側に偏在して前記第１胴周り域の両側縁から前記横方向外方へ延びる第１および第２フラップと、前記第２胴周り域の前記肌非当接面に取り付けられた第２受止部材とを有し、前記第２受止部材に着脱可能な第３止着部材が、前記第１および第２フラップの横方向外端部における前記肌当接面に取り付けられており、
前記第２着用ベルトの第１受止部材に前記第１着用ベルトの第１止着部材を止着してそれら着用ベルトを互いに連結させた後、前記第１および第２着用ベルトの第１受止部材に前記第２胴周り域の第２止着部材を止着してそれら着用ベルトに該第２胴周り域を連結させて、
前記第２受止部材に前記第３止着部材を止着して前記第２胴周り域に前記第１および第２フラップを連結させることを特徴とする前記おむつ。
【請求項２】
前記第１および第２着用ベルトが、前記第１胴周り域の端縁から該第１胴周り域の縦方向中央部へ達する縦寸法を有し、前記第１受止部材が、前記第１および第２着用ベルトの縦寸法と略同一の縦寸法を有する請求項１記載のおむつ。
【請求項３】
第１および第２受止部材が、互いに着脱可能なフック部材とループ部材とのうちのいずれか一方から形成され、第１〜第３止着部材が、フック部材とループ部材とのうちのいずれか他方から形成されている請求項１記載のおむつ。
【請求項４】
第１および第２受止部材が、可撓性のプラスチックフィルムから形成され、第１〜第３止着部材が、前記肌当接面と前記肌非当接面とに塗布された粘着剤から形成されている請求項１記載のおむつ。
【発明の詳細な説明】
【０００１】
【発明の属する技術分野】
本発明は、排泄物を吸収、保持する開放型の使い捨ておむつに関する。
【０００２】
【従来の技術】
特開平１１−７０１４３号公報は、透液性表面シートと不透液性裏面シートとの間に吸液性コアが介在し、後胴周り域の両側縁から横方向外方へ延びる一対のテープファスナと、後胴周り域の両側縁から横方向外方へ延びる一対の着用ベルトと、前胴周り域における裏面シートの外面に取り付けられたターゲットテープとを有し、着用ベルトがテープファスナの外面の側に重ならない位置に配設された開放型の使い捨ておむつを開示している。
【０００３】
このおむつの着用手順は、以下のとおりである。着用者は、おむつを自分の背側に配置して着用ベルトを胴部に巻き付け、腹側でベルトを連結させてそれを胴部に固定する。次に、おむつの前胴周り域を股間部に通して腹側に移動させ、テープファスナの横方向外端部をターゲットテープに止着して前胴周り域と後胴周り域とを連結する。このおむつは、ベルトを利用しておむつを着用者の胴部に吊下げながら着用することができるので、起立した状態でのおむつの着用操作が容易であり、かつ、ベルトを着用者の胴部に固定する操作とテープファスナをターゲットテープに止着する操作とを着用者の腹側で行うことができるという効果を有する。
【０００４】
【発明が解決しようとする課題】
同号公報に開示のおむつでは、起立した着用者がそれを着用するときに、前胴周り域を一方の手で持ちながら、他方の手でテープファスナをターゲットテープに止着しなければならず、テープファスナをターゲットテープに止着する操作を両手で行うことができない。また、このおむつでは、テープファスナをターゲットテープに止着する前に前胴周り域を放してしまうと、前胴周り域が起立した着用者の股下へ向かって垂れ下がり、再び前胴周り域を持ち直さなければならず、おむつの着用操作に手間取る場合がある。
【０００５】
本発明の課題は、起立した着用者に対する着用操作が容易であり、着用操作に手間取ることがない使い捨ておむつを提供することにある。
【０００６】
【課題を解決するための手段】
前記課題を解決するための本発明の前提は、透液性表面シートと、不透液性裏面シートと、それらシートの間に介在する吸液性コアとから構成され、縦方向に第１および第２胴周り域と、それら胴周り域の間に位置する股下域とを備え、前記第１および第２胴周り域を横方向へ延びる両端縁と、前記縦方向へ延びる両側縁とを有し、前記第１胴周り域の端縁の側に偏在して該第１胴周り域の両側縁から横方向外方へ延びる第１および第２着用ベルトを有する開放型の使い捨ておむつである。
【０００７】
かかる前提における本発明の特徴は、前記第１および第２着用ベルトの肌非当接面に、横方向へ延びる第１受止部材が取り付けられ、前記第２着用ベルトの第１受止部材に着脱可能な第１止着部材が、前記第１着用ベルトの横方向外端部における肌当接面に取り付けられ、前記第１および第２着用ベルトの第１受止部材に着脱可能な第２止着部材が、前記第２胴周り域の端縁近傍における前記肌当接面に取り付けられており、前記股下域の側に偏在して前記第１胴周り域の両側縁から前記横方向外方へ延びる第１および第２フラップと、前記第２胴周り域の前記肌非当接面に取り付けられた第２受止部材とを有し、前記第２受止部材に着脱可能な第３止着部材が、前記第１および第２フラップの横方向外端部における前記肌当接面に取り付けられており、前記第２着用ベルトの第１受止部材に前記第１着用ベルトの第１止着部材を止着してそれら着用ベルトを互いに連結させた後、前記第１および第２着用ベルトの第１受止部材に前記第２胴周り域の第２止着部材を止着してそれら着用ベルトに該第２胴周り域を連結させて、前記第２受止部材に前記第３止着部材を止着して前記第２胴周り域に前記第１および第２フラップを連結させることにある。
【０００８】
本発明の実施の態様の一例としては、前記第１および第２着用ベルトが、前記第１胴周り域の端縁から該第１胴周り域の縦方向中央部へ達する縦寸法を有し、前記第１受止部材が、前記第１および第２着用ベルトの縦寸法と略同一の縦寸法を有する。
【００１０】
本発明の実施の態様の他の一例としては、第１および第２受止部材が、互いに着脱可能なフック部材とループ部材とのうちのいずれか一方から形成され、第１〜第３止着部材が、フック部材とループ部材とのうちのいずれか他方から形成されている。
【００１１】
本発明の実施の態様の他の一例としては、第１および第２受止部材が、可撓性のプラスチックフィルムから形成され、第１〜第３止着部材が、前記肌当接面と前記肌非当接面とに塗布された粘着剤から形成されている。
【００１２】
【発明の実施の形態】
添付の図面を参照し、本発明にかかる開放型の使い捨ておむつの詳細を説明すると、以下のとおりである。
【００１３】
図１，２は、肌当接面２の側から示すおむつ１の部分破断斜視図と、図１のＡ−Ａ線断面図とであり、図３は、図２のＢ−Ｂ線断面図である。図１では、横方向を矢印Ｘで示し、縦方向を矢印Ｙで示す。なお、肌当接面２とは、おむつ１を着用した着用者の肌に対向する面をいい、肌非当接面３とは、着用者の肌に非対向の面をいう。
【００１４】
おむつ１は、透液性表面シート４と、不透液性裏面シート５と、それらシート４，５の間に介在する吸液性コア６とから構成されている。コア６は、表面シート４と裏面シート５との少なくとも一方に接合されている。
【００１５】
おむつ１は、縦方向に前胴周り域（第２胴周り域）２６および後胴周り域（第１胴周り域）２８と、前後胴周り域２６，２８の間に位置する股下域２７とを備え、前胴周り域２６を横方向へ延びる前端縁７と、後胴周り域２８を横方向へ延びる後端縁８と、縦方向へ延びる両側縁９とを有する。両側縁９は、股下域２７において横方向内方へ向かって弧を画いている。
【００１６】
おむつ１は、後端縁８の側に偏在して後胴周り域２８の両側縁９から横方向外方へ延びる第１および第２着用ベルト１０，１１と、股下域２７の側に偏在して後胴周り域２８の両側縁９から横方向外方へ延びる第１および第２フラップ１２，１３と、おむつ１の肌当接面２を縦方向へ延びる実質的に不透液性の防漏カフ１４とを有する。
【００１７】
第１および第２着用ベルト１０，１１は、着用者の胴周りを囲繞した状態でそれら着用ベルト１０，１１を互いに連結させることが可能な横寸法を有するとともに、後端縁８から後胴周り域２８の縦方向中央部へ達する縦寸法を有する。
【００１８】
第１および第２着用ベルト１０，１１の肌非当接面３には、それら着用ベルト１０，１１の縦寸法および横寸法と略同一の縦寸法Ｌ１および横寸法Ｌ２を有するループ部材１５，１６（第１受止部材）が取り付けられている。第１着用ベルト１０の横方向外端部１０ａにおける肌当接面２には、ループ部材１６に着脱可能に止着するフック部材１７（第１止着部材）が取り付けられている。
【００１９】
前胴周り域２６の肌非当接面３には、横方向へ所与寸法離間して前胴周り域２６の両側縁９近傍を縦方向へ延びるループ部材１８（第２受止部材）が取り付けられている。前胴周り域２６の前端縁７近傍における肌当接面２には、ループ部材１５，１６に着脱可能に止着するフック部材１９（第２止着部材）が取り付けられている。
【００２０】
第１および第２フラップ１２，１３は、横寸法が第１および第２着用ベルト１０，１１のそれよりも短いものである。第１および第２フラップ１２，１３の横方向外端部１２ａ，１３ａにおける肌当接面２には、ループ部材１８に着脱可能に止着するフック部材２０（第３止着部材）が取り付けられている。
【００２１】
第１および第２着用ベルト１０，１１と第１および第２フラップ１２，１３とは、実質的に不透液性であって非伸縮性のシート部材から形成されている。第１着用ベルト１０と第１フラップ１２とは、それらが一体に作られたもので、それらの横方向内端部１０ｂ，１２ｂが後胴周り域２８の側縁９近傍に固着されている。第２着用ベルト１１と第２フラップ１３とは、それらが一体に作られたもので、それらの横方向内端部１１ｂ，１３ｂが後胴周り域２８の側縁９近傍に固着されている。
【００２２】
後端縁８近傍には、横方向へ延びる複数条の胴周り用弾性部材２１が伸長状態で取り付けられている。股下域２７における両側縁９近傍には、縦方向へ延びる複数条の脚周り用弾性部材２２が伸長状態で取り付けられている。
【００２３】
防漏カフ１４は、表面シート４の上方へ起立性向を有して縦方向へ延びる自由縁部１４ａと、両側縁９近傍に固着された固定縁部１４ｂと、横方向内方へ倒伏した状態でおむつ１の前後端縁７，８近傍に固着された固定両端部１４ｃとを有する。自由縁部１４ａには、縦方向へ延びる弾性部材２３が伸長状態で取り付けられている。弾性部材２３は、自由縁部１４ａの一部に被覆されている。
【００２４】
図１では、おむつ１が表面シート４を内側にして縦方向へ湾曲し、弾性部材２３の収縮によってカフ１４の自由縁部１４ａが縦方向へ収縮し、自由縁部１４ａが表面シート４の上方へ起立している。おむつ１では、起立したカフ１４の自由縁部１４ａが排泄物に対する障壁を形成し、両側縁９からの排泄物の漏れを防ぐことができる。
【００２５】
おむつ１の前後端縁７，８近傍では、表面シート４の端部４ａと裏面シート５の端部５ａとがコア６の両端縁６ａから縦方向外方へ延び、それら端部４ａ，５ａの互いに重なり合う部分が固着されている。カフ１４の固定両端部１４ｃは、表裏面シート４，５の端部４ａ，５ａに固着されている。胴周り用弾性部材２１は、表面シート４の端部４ａと裏面シート５の端部５ａとの間に介在し、それら端部４ａ，５ａに固着されている。
【００２６】
おむつ１の両側縁９近傍では、表面シート４の側部４ｂがコア６の両側縁６ｂから横方向外方へわずかに延び、表面シート４の側部４ｂからさらに横方向外方へ裏面シート５の側部５ｂとカフ１４の固定縁部１４ｂとが延びている。側部４ｂは、側部５ｂと固定縁部１４ｂとの間に介在し、それらに固着されている。側部５ｂと固定縁部１４ｂとは、それらの互いに重なり合う部分が固着されている。脚周り用弾性部材２２は、裏面シート５の側部５ｂとカフ１４の固定縁部１４ｂとの間に介在し、それらに固着されている。
【００２７】
図４（ａ）〜（ｄ）は、着用者（図示せず）が起立した状態でおむつ１を着用するときの着用手順の説明図である。図５は、図４（ｄ）のＣ−Ｃ線断面図であり、ループ部材１６に対するフック部材１７の止着位置を図の下方へ移動させた状態を仮想線で示す。
【００２８】
着用者がおむつ１を着用するには、図４（ａ）の状態にあるおむつ１を自分の背側に配置し、第１および第２着用ベルト１０，１１の横方向外端部１０ａ，１１ａを腹側に移動させてそれらベルト１０，１１を胴部に巻き付ける。着用者は、フック部材１７をループ部材１６に止着して第１および第２着用ベルト１０，１１を連結し、それら着用ベルト１０，１１を胴部に固定する。おむつで１は、ループ部材１６に対するフック部材１７の止着位置を調節することによって、それら着用ベルト１０，１１による着用者の胴部の締め付けを強くしたり、弱くしたりすることができる。
【００２９】
次に、着用者は、おむつ１の前胴周り域２６を自分の股間部に通して腹側に移動させ、フック部材１９をループ部材１５，１６に止着し、前胴周り域２６を第１および第２着用ベルト１０，１１に連結する（図４（ｃ））。着用者は、フック部材２０をループ部材１８に止着し、第１および第２フラップ１２，１３の横方向外端部１２ａ，１３ａを前胴周り域２６に連結する（図４（ｄ））。図４（ｃ）と図４（ｄ）とに示すおむつ１には、胴周り開口部２４と一対の脚周り開口部２５とが画成されている。
【００３０】
おむつ１では、着用ベルト１０，１１を利用してそれを着用者の胴部に吊下げながら着用することができるので、起立した状態でのおむつ１の着用操作が容易である。また、おむつ１では、第１および第２着用ベルト１０，１１を着用者の胴部に固定した後、前胴周り域２６をそれら着用ベルト１０，１１に連結するだけでよいので、テープファスナをターゲットテープに止着しなければ前後胴周り域を連結することができない前記従来技術のおむつよりも着用操作が一層容易である。おむつ１では、前胴周り域２６がそれら着用ベルト１０，１１に保持された状態で、第１および第２フラップ１２，１３を前胴周り域２６に連結することができるので、前胴周り域２６に対するそれらフラップ１２，１３の連結操作を両手で行うことができる。
【００３１】
図４（ｄ）の状態にあるおむつ１では、第１および第２フラップ１２，１３が前胴周り域２６に連結されているので、その着用中に着用ベルト１０，１１に対する前胴周り域２６の連結が解除されたとしても、おむつ１の着用状態を維持することができる。また、おむつ１では、第１および第２フラップ１２，１３に取り付けられたフック部材２０のループ部材１８に対する止着位置を調節することにより、脚周り開口２５の大きさを変えることができる。ゆえに、おむつ１では、股下域２７に延びる両側縁９を着用者の脚周りに密着させることができ、脚周りからの排泄物の漏れを防ぐことができる。
【００３２】
おむつ１では、図５に仮想線で示すように、ループ部材１５，１６に対するフック部材１９の止着位置を図の下方へずらすことで、胴周り開口２４中央から股下域２７中央までのおむつ１の股上寸法を寸法Ｌ３から寸法Ｌ４に変えることができる。おむつ１では、ループ部材１５，１６に対するフック部材１９の止着位置によっておむつ１の股上寸法を変えることができるので、股下域２７が着用者の股間部から離間した状態でおむつ１を着用したり、股下域２７が着用者の股間部に強く接触した状態でおむつ１を着用したりすることを防ぐことができる。
【００３３】
おむつ１では、ループ部材１５，１６の縦寸法Ｌ１が５〜１５ｃｍの範囲にあることが好ましい。縦寸法Ｌ１が５ｃｍ未満では、おむつ１の股上寸法をわずかしか変えることができない。縦寸法Ｌ１が１５ｃｍを超過すると、着用ベルト１０，１１の縦寸法が大きくなり、着用ベルト１０，１１が着用者の腹側を広範囲に被覆した状態で前胴周り域２６と着用者の肌との間に介在するので、それら着用ベルト１０，１１が前胴周り域２６と排泄物とに対する隔壁となり、前胴周り域２６において排泄物を吸収することができなくなってしまう。
【００３４】
おむつ１では、第１および第２着用ベルト１０，１１と第１および第２フラップ１２，１３とが実質的に不透液性であって弾性伸縮性を有するシート部材から形成されていてもよい。また、おむつ１では、第１および第２着用ベルト１０，１１と第１および第２フラップ１２，１３とが後胴周り域２８の両側縁９に一連につながるものでもよい。この場合は、おむつ１を構成する表面シート４と裏面シート５との少なくとも裏面シート５が後胴周り域２８の両側縁９から横方向外方へ延びてそれら着用ベルト１０，１１とそれらフラップ１２，１３とを形成することができる。
【００３５】
おむつ１では、第１および第２着用ベルト１０，１１と第１および第２フラップ１２，１３とが前胴周り域２６に取り付けられるとともに、ループ部材１８が後胴周り域２８の両側縁９近傍における肌非当接面３に取り付けられ、さらに、フック部材１９が後胴周り域２８の後端縁８近傍における肌当接面２に取り付けられていてもよい。
【００３６】
おむつ１では、前胴周り域２６を第１および第２着用ベルト１０，１１に連結させるだけで、おむつ１を着用することができるので、第１および第２フラップ１２，１３とループ部材１８との取り付けを省くこともできる。
【００３７】
おむつ１では、ループ部材に替えて可撓性のプラスチックフィルムを使用することができ、フック部材に替えて剥離紙に被覆保護された粘着剤を使用することができる。この場合では、プラスチックフィルムが第１および第２ベルト１０，１１の肌非当接面３と前胴周り域２６の肌非当接面３とに固着され、粘着剤が第１着用ベルト１０の横方向外端部１０ａにおける肌当接面２と第１および第２フラップ１２，１３の横方向外端部１２ａ，１３ａにおける肌当接面２と前端縁７近傍における肌当接面２とに塗布される。
【００３８】
表面シート４には、親水性繊維不織布、または、微細な多数の開孔を有するプラスチックフィルムを使用することができる。裏面シート５や第１および第２着用ベルト１０，１１、第１および第２フラップ１２，１３には、疎水性繊維不織布、不透液性のプラスチックフィルム、疎水性繊維不織布を重ね合わせた２層の不織布、疎水性繊維不織布にプラスチックフィルムを固着した複合シートのいずれかを使用することができる。防漏カフ１４には、疎水性繊維不織布を使用することができる。
【００３９】
裏面シート５や第１および第２着用ベルト１０，１１、第１および第２フラップ１２，１３、防漏カフ１４には、高い耐水性を有するメルトブローン法による繊維不織布を、高い強度を有しかつ柔軟性に富んだスパンボンド法による繊維不織布で挟んだ複合不織布を使用することもできる。
【００４０】
不織布としては、スパンレース、ニードルパンチ、メルトブローン、サーマルボンド、スパンボンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレン、または、ポリエチレン／ポリエステルからなる芯鞘型複合繊維または並列型複合繊維を使用することができる。
【００４１】
コア６は、フラッフパルプと高吸収性ポリマー粒子との混合物、または、フラッフパルプと高吸収性ポリマー粒子と熱可塑性合成樹脂繊維との混合物であり、所要の厚みに圧縮されている。コア６は、ポリマー粒子の脱落や型崩れを防止するためにその全体がティッシュペーパーに被覆されていることが好ましい。ポリマー粒子としては、デンプン系、セルロース系、合成ポリマー系のものを使用することができる。
【００４２】
表裏面シート４，５、第１および第２着用ベルト１０，１１、第１および第２フラップ１２，１３、防漏カフ１４、ループ部材１５，１６，１８、フック部材１７，１９，２０、の固着、コア６の接合、弾性部材２１，２２，２３の取り付けには、ホットメルト型接着剤、または、ヒートシールや超音波接合等の熱による溶着手段を使用することができる。
【００４３】
【発明の効果】
本発明にかかる使い捨ておむつによれば、着用ベルトを利用しておむつを着用者の胴部に吊下げながら着用することができるので、起立した状態でのおむつの着用操作が容易であり、第１および第２着用ベルトを胴部に固定した後、前胴周り域をそれらベルトに連結するだけでよいので、従来技術のおむつと比較して着用操作に手間取ることもない。
【００４４】
このおむつでは、第１受止部材に対する第２止着部材の止着位置を変えることで、胴周り開口中央から股下域中央までのおむつの股上寸法を変えることができるので、股下域が着用者の股間部から離間した状態でおむつを着用したり、股下域が着用者の股間部に強く接触した状態でおむつを着用したりすることを防ぐことができる。
【００４５】
股下域の側に偏在して後胴周り域の両側縁から横方向外方へ延びる第１および第２フラップを有するおむつでは、その着用中に前胴周り域と着用ベルトとの連結が解除されたとしても、第１および第２フラップが前胴周り域に連結されているので、おむつの着用状態を維持することができる。また、このおむつでは、第１および第２フラップ１２，１３に取り付けられたフック部材２０のループ部材１８に対する止着位置を調節することにより、股下域２７に延びる両側縁９を着用者の脚周りに密着させることができ、脚周りからの排泄物の漏れを防ぐことができる。
【図面の簡単な説明】
【図１】  表面シートの側から示すおむつの部分破断斜視図。
【図２】  図１のＡ−Ａ線断面図。
【図３】  図２のＢ−Ｂ線断面図。
【図４】  おむつを着用するときの着用手順の説明図。
【図５】  図４（ｄ）のＣ−Ｃ線断面図。
【符号の説明】
１                使い捨ておむつ
２                肌当接面
３                肌非当接面
４                透液性表面シート
５                不透液性裏面シート
６                吸液性コア
７                前端縁
８                後端縁
９                両側縁
１０                第１着用ベルト
１０ａ              横方向外端部
１１                第２着用ベルト
１２                第１フラップ
１２ａ              横方向外端部
１３                第２フラップ
１３ａ              横方向外端部
１５                ループ部材（第１受止部材）
１６                ループ部材（第１受止部材）
１７                フック部材（第１止着部材）
１８                ループ部材（第２受止部材）
１９                フック部材（第２止着部材）
２０                フック部材（第３止着部材）
２６                前胴周り域（第２胴周り域）
２７                股下域
２８                後胴周り域（第１胴周り域）
Ｌ１                縦寸法
【図１】
0003953748.tif 000002
【図２】
0003953748.tif 000003
【図３】
0003953748.tif 000004
【図４】
0003953748.tif 000005
【図５】
0003953748.tif 000006